(57)【要約】【課題】本発明は、レンズ保持部２を小型化し得ると共に光ディスク１００に対する損傷を防止することができる。【解決手段】本発明の光ディスク装置２０は、光ディスク１００に対向させて配置した対物レンズ１を保持するレンズ保持部２を、サスペンションワイヤ３によって光学部品収納部４３に遥動可能に保持すると共に、レンズ保持部２の対物レンズ１を有する頭頂部をレンズ突出孔４９Ａから突出させた状態でプロテクタ４９によってレンズ保持部２及びサスペンションワイヤ３を覆い、光ディスク１００の変位に伴ってレンズ保持部２の頭頂部の殆どをプロテクタ４９内に収納すると共に、プロテクタ４９の表面にプロテクタ保護膜４５を設けるようにする。【選択図】図７
2008276897.tif 000002
【特許請求の範囲】
【請求項１】
光源から出射された光ビームを集光して光ディスクに照射する対物レンズと、
上記対物レンズを保持するレンズ保持部と、
上記光源を収納する光学部品収納部に対して上記レンズ保持部を遥動可能に保持することにより、正常位置の上記光ディスクに対して上記対物レンズが所定の間隔になるよう上記レンズ保持部を配置し、上記光ディスクが上記正常位置から変位して上記レンズ保持部に接触することにより上記レンズ保持部に力が加わると、上記レンズ保持部を上記光ディスクの変位に伴って移動させる遥動保持部と、
上記レンズ保持部及び上記遥動保持部を覆うと共に、レンズ突出孔から上記レンズ保持部の一部を突出させることにより上記対物レンズを上記光ディスクと対向させ、上記レンズ保持部が上記光ディスクの変位に伴って移動する際に、上記レンズ保持部の一部を内部に収納するプロテクタと、
上記プロテクタの上記光ディスクと対向する対向面に設けられ、上記光ディスクが変位して上記プロテクタに接触したときに当該光ディスクに対する損傷を低減するためのプロテクタ保護部と
を具えることを特徴とする光ピックアップ。
【請求項２】
上記プロテクタ保護部は、
上記対向面の外周部に帯状に形成されている
ことを特徴とする請求項１に記載の光ピックアップ。
【請求項３】
上記プロテクタ保護部は、
上記対物レンズを基準として上記光ディスクの外側方向に形成されている
ことを特徴とする請求項２に記載の光ピックアップ。
【請求項４】
上記プロテクタ保護部は、
上記光ディスクの半径に垂直な方向に、かつ当該光ディスクの外周側に設けられていることにより、上記光ディスクの半径方向に傾斜する当該光ディスクに対する損傷を低減する
ことを特徴とする請求項２に記載の光ピックアップ。
【請求項５】
上記プロテクタ保護部は、
上記光ディスクの半径に平行な方向に設けられていることにより、当該光ディスクの半径に垂直な方向に傾斜する当該光ディスクに対する損傷を低減する
ことを特徴とする請求項２に記載の光ピックアップ。
【請求項６】
上記レンズ保持部は、
上記対物レンズの近傍に当該対物レンズよりも僅かに突出するレンズ保護突出部を設けることにより、上記光ディスクが上記レンズ保持部に接触した際に、当該光ディスクを上記対物レンズに接触させることを防止し、
上記レンズ保護突出部は、
その表面に上記光ディスクに対する損傷を低減するためのレンズ近傍保護膜が形成されている
ことを特徴とする請求項１に記載の光ピックアップ。
【請求項７】
上記レンズ保護突起部は、
上記対物レンズを挟んで２つ設けられ、上記レンズ保護突起部のうち、一のレンズ保護突起部の一端、他のレンズ保護突起部の一端及び上記対物レンズの外周がほぼ一直線上に並び、一のレンズ突起部の他端、他のレンズ保護突起部の他端及び上記対物レンズの外周がほぼ一直線上に並ぶように形成されている
ことを特徴とする請求項４に記載の光ピックアップ。
【請求項８】
光ディスクを正常位置に装着する装着部と、
光源から出射された光ビームを集光して上記光ディスクに照射する対物レンズと、
上記対物レンズを保持するレンズ保持部と、
上記光源を収納する光学部品収納部に対して上記レンズ保持部を遥動可能に保持することにより、上記正常位置の上記光ディスクに対して上記対物レンズが所定の間隔になるよう上記レンズ保持部を配置し、上記光ディスクが上記正常位置から変位して上記レンズ保持部に接触することにより上記レンズ保持部に力が加わると、上記レンズ保持部を上記光ディスクの変位に伴って移動させる遥動保持部と、
上記レンズ保持部及び上記遥動保持部を覆うと共に、レンズ突出孔から上記レンズ保持部の一部を突出させることにより上記対物レンズを上記光ディスクと対向させ、上記レンズ保持部が上記光ディスクの変位に伴って移動する際に、上記レンズ保持部の一部を内部に収納するプロテクタと、
上記プロテクタの上記光ディスクと対向する対向面に設けられ、上記光ディスクが変位して上記プロテクタに接触したときに当該光ディスクに対する損傷を低減するためのプロテクタ保護部と、
光学部品収納部を光ディスクの半径方向に移動させる駆動部と
を具えることを特徴とする光ディスク装置。
【発明の詳細な説明】
【技術分野】
【０００１】
本発明は、光ピックアップ及び光ディスク装置に関し、例えば撮像装置に搭載される光ディスク装置に適用して好適なものである。
【背景技術】
【０００２】
従来、光ディスク装置は、光ピックアップにおけるレーザダイオードから光ビームを出射し、対物レンズを介して当該光ビームを光ディスクに照射することにより、当該光ディスクの信号記録層に記録された情報の再生や当該信号記録層に対する情報の記録を行うようになされている。
【０００３】
一般的な構成の光ピックアップでは、図１に示すように、対物レンズ１を保持するレンズ保持部２をサスペンションワイヤ３によってベース部４に固定することにより、ベース部４に対して当該レンズ保持部２を遥動可能に保持すると共に、当該レンズ保持部２の周囲にコイル５及びマグネット６からなるアクチュエータ７を配置して対物レンズ駆動部８を形成する。
【０００４】
そして光ピックアップは、光ディスクに近接する又は離隔するフォーカス方向にレンズ保持部２を駆動することにより対物レンズ１を変位させ、当該対物レンズ１を介して照射される光ビームを信号記録層に対して合焦させるようになされている。
【０００５】
またレンズ駆動部８では、図２に示すように、振動や衝撃などによって光ディスク１００がサスペンションワイヤ３やアクチュエータ７に衝突するのを防止するために、プロテクタ９が設けられている。プロテクタ９は、レンズ駆動部８における各部品を覆うと共に、レンズ保持部２に対応する部分が切り抜かれてなるレンズ突出孔９Ａが設けられており、レンズ保持部２を当該レンズ突出孔９Ａから突出させて当該レンズ保持部２をフォーカス方向に自由に遥動させ得るようになされている。
【０００６】
近年、光ピックアップとして、ＢＤ（Blu-ray Disc（登録商標））に対して情報を再生及び記録するようになされたものがある。このＢＤ方式では、記録密度を向上させるため、対物レンズの開口数（ＮＡ）が０．８５と大きく設定されており、これに伴い対物レンズ１から光ディスク１００までのワーキングディスタンスが非常に小さくなっている。
【０００７】
このためＢＤ方式による光ピックアップでは、ＣＤ（Compact Disc）やＤＶＤ（Digital Versatile Disc）など従来の光ディスク方式による光ピックアップと比較して、対物レンズ１を光ディスク１００に対して近づけて配置する必要がある。
【０００８】
このような光ピックアップでは、振動や衝撃などにより光ディスク１００が装着された位置から傾斜して変位した場合、対物レンズ１と光ディスク１００とが接触し、対物レンズ１及び光ディスク１００が損傷する危険性がある。
【０００９】
そこで対物レンズ駆動部８（図１及び図２）において、対物レンズ１の近傍に当該対物レンズ１よりも僅かに突出する矩形状の突起部１０を形成し、図３に示すようにレンズ保持部２と光ディスク１００とが接触する際の対物レンズ１に対する損傷を防止すると共に、突起部１０の表面に保護膜１１を形成することにより、レンズ保持部２と光ディスク１００とが接触する際の光ディスク１００に対する損傷を低減するようになされた光ピックアップが提案されている（例えば、特許文献１参照）。
【特許文献１】特開２００５−３１７０６０公報
【発明の開示】
【発明が解決しようとする課題】
【００１０】
ところでかかる構成の光ピックアップにおいては、突起部１０に形成された保護膜１１の面積が大きくなるように矩形状に形成し、当該光ディスク１００と保護膜１１との接触面積を大きくして光ディスク１００に加わる単位面積あたりの圧力を小さくすることにより、光ディスク１００に対する損傷を低減する。
【００１１】
従って、この光ピックアップでは、駆動に伴い軽量・小型化することが望ましいレンズ保持部２を大きく形成しなければならないという問題があった。
【００１２】
本発明は以上の点を考慮してなされたもので、レンズ保持部を小型化し得ると共に光ディスクに対する損傷を低減し得る光ピックアップ及び光ディスク装置を提案しようとするものである。
【課題を解決するための手段】
【００１３】
かかる課題を解決するため本発明においては、光源から出射された光ビームを集光して光ディスクに照射する対物レンズと、対物レンズを保持するレンズ保持部と、光源を収納する光学部品収納部に対してレンズ保持部を遥動可能に保持することにより、正常位置の光ディスクに対して対物レンズが所定の間隔になるようレンズ保持部を配置し、光ディスクが正常位置から変位してレンズ保持部に接触することによりレンズ保持部に力が加わると、レンズ保持部を光ディスクの変位に伴って移動させる遥動保持部と、レンズ保持部及び遥動保持部を覆うと共に、レンズ突出孔からレンズ保持部の一部を突出させることにより対物レンズを光ディスクと対向させ、レンズ保持部が光ディスクの変位に伴って移動する際に、レンズ保持部の一部を内部に収納するプロテクタと、プロテクタの光ディスクと対向する対向面に設けられ、光ディスクが変位してプロテクタに接触したときに当該光ディスクに対する損傷を低減するためのプロテクタ保護部とを設けるようにした。
【００１４】
これにより、レンズ保持部と比して大きな面積を有するプロテクタの表面に形成されたプロテクタ保護膜に光ディスクを接触させて光ディスクに加わる単位面積あたりの力を小さくすることができる。
【００１５】
また本発明においては、光ディスクを正常位置に装着する装着部と、光源から出射された光ビームを集光して光ディスクに照射する対物レンズと、対物レンズを保持するレンズ保持部と、光源を収納する光学部品収納部に対してレンズ保持部を遥動可能に保持することにより、正常位置の光ディスクに対して対物レンズが所定の間隔になるようレンズ保持部を配置し、光ディスクが正常位置から変位してレンズ保持部に接触することによりレンズ保持部に力が加わると、レンズ保持部を光ディスクの変位に伴って移動させる遥動保持部と、レンズ保持部及び遥動保持部を覆うと共に、レンズ突出孔からレンズ保持部の一部を突出させることにより対物レンズを光ディスクと対向させ、レンズ保持部が光ディスクの変位に伴って移動する際に、レンズ保持部の一部を内部に収納するプロテクタと、プロテクタの光ディスクと対向する対向面に設けられ、光ディスクが変位してプロテクタに接触したときに当該光ディスクに対する損傷を低減するためのプロテクタ保護部と、光学部品収納部を光ディスクの半径方向に移動させる駆動部とを設けるようにした。
【００１６】
これにより、レンズ保持部と比して大きな面積を有するプロテクタの表面に形成されたプロテクタ保護膜に光ディスクを接触させて光ディスクに加わる単位面積あたりの力を小さくすることができる。
【発明の効果】
【００１７】
本発明によれば、レンズ保持部と比して大きな面積を有するプロテクタの表面に形成されたプロテクタ保護膜に光ディスクを接触させて光ディスクに加わる単位面積あたりの力を小さくすることができ、かくしてレンズ保持部を小型化し得ると共に光ディスクに対する損傷を防止し得る光ピックアップ及び光ディスク装置を実現できる。
【発明を実施するための最良の形態】
【００１８】
以下、図面について、本発明の一実施の形態を詳述する。
【００１９】
（１）光ディスク装置の全体構成
図１〜図３と対応する部分に同一符号を付して示す図４において、２０は全体として光ディスク装置を示している。この光ディスク装置２０は、システムコントローラ２１によって統括制御されており、例えばＢＤ（Blu-ray Disc（登録商標））でなる光ディスク１００に対する再生処理及び記録処理を実行するようになされている。
【００２０】
システムコントローラ２１は、再生処理の際、光ディスク１００から読み出すデータを特定するためのアドレス情報と共に、データ読出命令を駆動制御部２３へ送出する。
【００２１】
駆動制御部２３は、システムコントローラ２１からのデータ読出命令に応じて、スピンドルモータ２４を制御することにより当該スピンドルモータ２４の出力軸と連結するチャック２７にその中心孔が嵌め込まれた光ディスク１００を所定の回転速度で回転させると共に、データ読出命令及びアドレス情報を基にスレッドモータ２５を制御することにより、ガイド軸２６に沿って光ピックアップ３０を当該光ディスク１００の径方向に移動させる。
【００２２】
そしてシステムコントローラ２１は、光ディスク１００の情報記録層におけるアドレス情報に応じたトラックに対し、光ピックアップ３０のレーザドライバ３２を介してレーザダイオード３３から光ビームを発射させ、対物レンズ１によって光ビームを集光して光ディスク１００に照射する。
【００２３】
このとき光ピックアップ３０では、光ディスク１００に照射した光ビームが反射されてなる反射光ビームをフォトダイオード３４で受光し、その光量に応じた受光信号を信号処理部２８へ送出する。信号処理部２８は、受光信号を基に、所望のトラックに対する光ビームの照射位置のずれ量に応じたトラッキングエラー信号と光ディスク１００の情報記録層に対する光ビームの焦点のずれ量に応じたフォーカスエラー信号とを生成してこれらを駆動制御部２３へ送出すると共に、当該受光信号を基に再生ＲＦ信号を生成し、外部機器（図示せず）へ送出する。
【００２４】
駆動制御部２３は、トラッキングエラー信号及びフォーカスエラー信号に基づいてトラッキング駆動電流、フォーカス駆動電流を生成すると共に、システムコントローラ２１から供給されるチルト制御信号に基づいてチルト駆動電流を生成し、これらをレンズ駆動部４０へ送出する。これに応じてレンズ駆動部４０は、対物レンズ１を光ディスク１００の径方向であるトラッキング方向、当該光ディスクに近接する又は離隔するフォーカス方向、及び当該レーザ光の光軸が傾くチルト方向の３方向へ駆動させることにより、光ビームの焦点を光ディスク１００の所望のトラックに合致させる。
【００２５】
システムコントローラ２１は、再生ＲＦ信号を基にレーザパワー信号を生成してレーザドライバ３２へ送出する。レーザドライバ３２は、このレーザパワー信号を基にレーザパワー制御信号を生成することにより、発光させる光ビームの強度を再生に適した値に制御するようになされている。
【００２６】
またシステムコントローラ２１は、記録処理の際、光ディスク１００の情報記録層にデータを記録する箇所を指定するためのアドレス情報と共に、データ書込命令を駆動制御部２３へ送出する。
【００２７】
さらにシステムコントローラ２１は、外部機器（図示せず）等から入力された書込データを駆動制御部２３へ送出する。また駆動制御部２３は、供給されたアドレス情報に基づき光ピックアップ３０の位置を制御する。
【００２８】
これに応じて光ピックアップ３０は、光ディスク１００の情報記録層におけるアドレス情報に応じたトラックに光ビームの焦点を合わせ、レーザドライバ３２の制御により、データの記録に適した強度に調整された光ビームを照射することにより、書込データを当該光ディスク１００に記録していく。
【００２９】
このように光ディスク装置２０は、光ピックアップ３０から光ディスク１００の情報記録層における所望のトラックに対して焦点を合わせた光ビームを照射することにより、データの記録及び再生を行うようになされている。
【００３０】
（２）対物レンズ駆動部の構成
図５に示すように、光ディスク装置２０では、光ピックアップ３０よりも上部（紙面手前方向）に位置するチャック２７に光ディスク１００（図示しない）の中心孔が嵌め込まれることにより、光ピックアップ３０の上部に光ディスク１００が装着される。なお、光ディスク装置２０に振動や衝撃が加わることなく静置された状態において、光ディスク１００がチャック２７に正常に嵌め込まれた状態を以下、当該光ディスクの正常位置とする。
【００３１】
光ディスク装置２０は、光ピックアップ３０をガイド軸２６に沿って駆動することより、当該光ピックアップ３０を光ディスク１００の半径方向（すなわちトラッキング方向）に移動させるようになされている。なおこの図５では、説明の便宜上、レンズ駆動部４０を保護するプロテクタ４９（詳しくは後述する）を取り外した状態を示している。
【００３２】
光ピックアップ３０では、光学部品収納部４３内にレーザダイオード３３及びフォトダイオード３４（図４）などの光学部品を収納しており、ガイド孔４３Ａ及び４３Ｂにガイド軸２６を貫通させることにより、当該光学部品収納部４３をガイド軸２６に沿って移動可能に設置している。
【００３３】
光ピックアップ３０は、光学部品収納部４３上にレンズ駆動部４０を有しており、各部品が設置されたベース部４を光学部品収納部４３に固定することにより、当該レンズ駆動部４０を光学部品収納部４３と共にガイド軸２６に沿って移動させる。
【００３４】
光ピックアップ３０は、ベース部４から突出する固定部４Ａに対して、対物レンズ１を保持するレンズ保持部２を４本のサスペンションワイヤ３を用いて設置することにより、当該レンズ保持部２を光学部品収納部４３に対して遥動可能に保持している。
【００３５】
光ピックアップ３０では、レンズ保持部２の側面にコイル５が取り付けられており、当該コイル５と対向するようにベース部４に設置されたマグネット６と共に当該レンズ保持部２を駆動するためのアクチュエータ７を構成している。
【００３６】
アクチュエータ７は、駆動制御部２３からフレキ基板（フレキシブルプリント基板）１３及びサスペンションワイヤ３を介してコイル５に電流が供給されると、当該電流とマグネット６による磁界とによって推力を発生させ、レンズ保持部２をフォーカス方向、トラッキング方向及びチルト方向に駆動するようになされている。
【００３７】
図６（Ａ）に示すように、対物レンズ１の近傍には、レンズ表面１Ａよりも僅かに突出する２つのレンズ保護突起部４２がトラッキング方向及びフォーカス方向に垂直なジッター方向から対物レンズ１を挟んで２つ設けられている。図６（Ｂ）に示すように、このレンズ保護突起部４２は対物レンズ１に沿って湾曲して帯状に設けられており、その表面形状が円弧状でなる。
【００３８】
レンズ保持部２では、２つのレンズ保護突起部４２（４２Ａ及び４２Ｂ）のうち、レンズ保護突起部４２Ａの一端４２Ａａ、レンズ保護突起部４２Ｂの一端４２Ｂａ及び対物レンズ１の外周であるレンズ周縁部１Ｂがほぼ一直線上に並び、レンズ保護突起部４２Ａの他端４２Ａｂ、レンズ保護突起部４２Ｂの他端４２Ｂｂ及びレンズ周縁部１Ｂがほぼ一直線上に並ぶように形成されている。
【００３９】
これによりレンズ保護突起部４２は、振動や衝撃などにより光ディスク１００がジッター方向を軸に回転するラジアル方向に傾いた場合であっても、光ディスク１００を対物レンズ１に接触させることなく、確実に対物レンズ１を保護し得ると共に、トラッキング方向におけるレンズ周縁部１Ｂの外側部分１Ｃにレンズ保護突起部４２を設けなくても済むため、当該レンズ保護突起部４２を極力小さく形成し得るようになされている。
【００４０】
さらにレンズ駆動部４０では、図７に示すように、プロテクタ４９が取り付けられる。プロテクタ４９は、硬質の樹脂又は金属などで形成されており、例えば爪部（図示しない）をベース部４の穴（図示しない）に嵌入することによりベース部４に固定され、レンズ保持部２、サスペンションワイヤ３及びアクチュエータ７などのレンズ駆動部４０の各部品を覆っている。またプロテクタ４９には、レンズ保持部２と対応する部分に当該プロテクタ４９を切り抜いた孔であるレンズ突出孔４９Ａが設けられており、図８に示すように、当該突出孔４９Ａからレンズ保持部２の頭頂部を突出させるようになされている。
【００４１】
これによりプロテクタ４９（図７）は、レンズ保持部２をプロテクタ４９から突出させてフォーカス方向に自由に遥動させることができ、対物レンズ１をフォーカス方向に変位させ得ると共に、レンズ駆動部４０において衝撃などに弱いサスペンションワイヤ３やフレキ基板１３の図示しない接続部分などを保護し得るようになされている。
【００４２】
（３）光ディスクに対する損傷の低減
かかる構成に加えて本実施の形態では、光ディスク１００が振動や衝撃などにより正常位置から傾いて変位した際に、衝撃や振動などによって傾いた光ディスク１００を敢えてプロテクタ４９に接触させると共に、プロテクタ４９にプロテクタ保護膜４５を設けることにより、光ディスク１００に対する損傷を極力低減するようになされている。
【００４３】
すなわち図８に示すように、レンズ駆動部４０では、コイル５に電流が流れていない基準位置において、対物レンズ１を有するレンズ保持部２の頭頂部がプロテクタ４９から突出する。
【００４４】
ここで図９に示すようにレンズ駆動部４０では、レンズ保持部２の下に従来のレンズ駆動部８（図２）よりも大きい空間を有しており、レンズ保持部２の上側（光ディスク１００側）から下方向（ベース部４側）に力が加わると、図１０に示すように、レンズ保持部２が押し下げられ、レンズ保持部２の上面（レンズ近傍保護膜４１の表面）がプロテクタ４９のレンズ対向面９Ｂとほぼ同じ高さまで移動して、当該レンズ保持部２の全てをプロテクタ４９の内部に収納することができる。
【００４５】
この結果レンズ駆動部４０では、振動や衝撃などにより光ディスク１００が変位してレンズ保持部２のレンズ保護突起部４２に接触した際、光ディスク１００から加わる圧力に応じてレンズ保持部２が沈下してその全てをプロテクタ４９の内部に収納させることにより、レンズ保持部２が当該圧力を受け止めることがなく、当該レンズ保持部２が光ディスク１００とベース部４に挟まれることを防止して当該レンズ保持部２を保護し得る。
【００４６】
これによりレンズ駆動部４０は、レンズ保護突起部４２と光ディスク１００との間に大きな圧力を生じさせず、光ディスク１００に対するレンズ保護突起部４２による損傷を低減し得るようになされている。
【００４７】
またレンズ保護突起部４２（図６）の表面にはレンズ保護突起部４２レンズ近傍保護膜４１が形成されており、当該レンズ近傍保護膜４１に接触した光ディスク１００に対する損傷を効果的に低減するようになされている。
【００４８】
このレンズ近傍保護膜４１は、保護膜原料樹脂（例えばウレタンゴム又はシリコンゴムなどのゴムビーズ及びフッ素樹脂などの固形潤滑剤をウレタン樹脂やアクリル樹脂などの柔軟なバインダー樹脂に混合したもの）を塗布することにより、それぞれ約４５[μｍ]の厚み（図８）に形成されている。
【００４９】
保護膜原料樹脂としては、光ディスク１００よりも柔らかい（弾性率が低い）、かつ滑り性の高い（摩擦係数が低い）材料が選定されている。従って、レンズ近傍保護膜４１は、光ディスク１００が接触した場合であっても、光ディスク１００に傷を付けにくいようになされている。
【００５０】
またレンズ近傍保護膜４１が４５[μｍ]と薄く形成されていることにより、光ディスク１００からレンズ近傍保護膜４１及びプロテクタ保護膜４５までの距離を極力長く確保し、光ディスク１００が当該レンズ近傍保護膜４１に接触することを極力防止するようになされている。
【００５１】
ここで、振動及び衝撃などによって傾斜した光ディスク１００はレンズ保持部２を沈下させながら引き続き変位を続け、そのままプロテクタ４９に接触する。このとき光ディスク１００は、その中心孔がレンズ保持部２及びプロテクタ４９よりも上部に位置するチャック２７に嵌入されているため、中心孔を支点としてプロテクタ４９側に傾斜することにより、図１１に示すように、対物レンズ１から見て光ディスク１００の外周側（以下、これをディスク外周側と呼ぶ）となる方向（矢印で示す）において、プロテクタ４９と接触する。
【００５２】
従ってプロテクタ４９（図７）の光ディスク１００に対向するディスク対向面４９Ｂにはプロテクタ４９に接触した光ディスク１００に対する損傷を防止するプロテクタ保護膜４５が、ディスク対向面４９Ｂにおける外周に沿って帯状に、光ディスク１００が傾斜することにより接触する可能性のある方向に設けられている。
【００５３】
すなわち図１２に示すように、プロテクタ４９では、光ディスク１００の半径上に対物レンズ１が配置されており、トラッキング方向に対してほぼ平行な平行領域４５ａ及び４５ｂにおいて、ディスク対向面４９のいずれの外周部分であってもディスク外周側となるため、平行領域４５ａ及び４５ｂの双方にプロテクタ保護膜４５が設けられている。
【００５４】
またプロテクタ４９では、トラッキング方向に対してほぼ垂直な部分のうち、ディスク外周側となる垂直外側領域４５ｃにのみプロテクタ保護膜が設けられている。言い換えるとこのプロテクタ保護膜４５は、ディスク対向面４９Ｂの外周部においてトラッキング方向に対してほぼ垂直になる部分のうち、光ディスク１００の内周側になる部分を除く全ての部位に設けられている。
【００５５】
このプロテクタ保護膜４５（図８）は、レンズ近傍保護膜４１と同様の保護膜原料樹脂を用いて４５[μｍ]の厚みに形成されており、光ディスク１００が接触した場合であっても、光ディスク１００に傷を付けにくいようになされている。
【００５６】
また光ディスク１００の表面からレンズ表面１Ａまでの距離（いわゆるワーキングディスタンス）が２４０[μｍ]に設定されているのに対し、光ディスク１００からプロテクタ保護膜４５までの距離が約１．７[ｍｍ]と比較的長く設定されており、振動などによって光ディスク１００が傾いてもプロテクタ保護膜４５に簡単には接触させずに済み、光ディスク１００に損傷を与える可能性を極力小さくするようになされている。
【００５７】
さらにプロテクタ４９では、ディスク対向面４９Ｂと側面とが連結する辺部分４９Ｃに丸みを帯びせることにより、当該角部分より内周側で光ディスク１００に面接触することができるため、当該辺部分が角張っていることにより光ディスク１００が当該辺部分４９Ｃに線接触する場合と比較して、接触時に光ディスク１００に加わる応力を緩和し、光ディスク１００に対する損傷を低減し得るようになされている。
【００５８】
図１３（Ａ）は、正常位置にあるときの光ディスク１００とレンズ駆動部４０との位置関係を、紙面左右方向をトラッキング方向として模式的に示している。
【００５９】
図１３（Ｂ）に示すように、振動や衝撃などにより光ディスク１００がラジアル方向に傾斜した場合、光ディスク１００はまずレンズ保持部２のレンズ近傍保護膜４１に接触する。このときレンズ保持部２は、レンズ近傍保護膜４１が有する柔軟性及び滑り性の高さにより光ディスク１００に対して殆ど損傷を与えることなく、光ディスク１００サスペンションワイヤ３が有する弾性力によって光ディスク１００が変位する力を僅かに緩和しながら沈下する。
【００６０】
次いで光ディスク１００はレンズ保持部２を移動させながらそのまま変位し続け、ディスク対向面４９Ｂにおけるトラッキング方向のディスク外周側（垂直外側領域４５ｃ）に設けられたプロテクタ保護膜４５に接触する。このときプロテクタ保護膜４５は、当該プロテクタ保護膜４５の角部分にまず光ディスク１００を接触させることになるが、接触による圧力が加わった部分を変形させることにより、光ディスク１００に対して面接触することができる。
【００６１】
またプロテクタ保護膜４５は、図１４に示すように、レンズ近傍保護膜４１よりも遥かに大きい面積を有する垂直外側領域４５ｃ（斜線で示す）に光ディスク１００を接触させることができるため、光ディスク１００に局所的に加わる単位面積あたりの圧力を小さくすることができ、光ディスク１００の損傷を低減し得るようになされている。なお図では、光ディスク１００の傾斜する方向を白抜きの矢印で表示しており、以下の図面でも同様とする。
【００６２】
図１５（Ａ）は、正常位置にあるときの光ディスク１００とレンズ駆動部４０との位置関係を、紙面左右方向をジッター方向として模式的に示している。
【００６３】
図１５（Ｂ）に示すように、振動や衝撃などにより光ディスク１００がトラッキング方向を軸に回転するタンジェンシャル方向に傾斜した場合、光ディスク１００はラジアル方向に傾斜した場合と同様に、レンズ保持部２を沈下させて変位し続け、ディスク対向面４９Ｂにおけるジッター方向のディスク外周側の領域（タンジェンシャル方向の回転軸であるトラッキング方向に平行である平行領域４５ａ及び４５ｂ）に設けられたプロテクタ保護膜４５と接触する。
【００６４】
図１６及び図１７に示すように、プロテクタ保護膜４５は、光ディスク１００がタンジェンシャル方向の２方向（紙面上方向及び紙面下方向）いずれに傾斜した場合であっても、レンズ近傍保護膜４１よりも遥かに面積の大きい平行領域４５ａ及び４５ｂ（斜線で示す）に光ディスク１００を接触させることができるため、光ディスク１００に局所的に加わる単位面積あたりの圧力を小さくすることができ、光ディスク１００の損傷を低減し得るようになされている。
【００６５】
なお通常の光ディスク装置では、対物レンズ１がジッター方向における光ディスク１００の半径上に位置している。このため従来の光ディスク装置（図１）では、小さな面積でなる突起部１０が光ディスク１００に損傷を与える危険性があるだけでなく、光ディスク１００がラジアル方向に傾いた場合に当該光ディスク１００を受け止め切ることができず、当該突起部１０を支点として光ディスク１００の傾斜を増大させ、保護膜を有さないプロテクタ９に光ディスク１００を接触させることにより当該光ディスク１００に損傷を与える危険性があった。
【００６６】
本実施の形態による光ディスク装置２０では、予め光ディスク１００をプロテクタ４９に接触させることを前提として、光ディスク１００がラジアル方向に傾いたときの接触面積が大きくなるように、ラジアル方向にほぼ垂直（ラジアル方向の回転軸であるジッター方向に平行）にプロテクタ保護膜４５を設けているため、光ディスク１００に対する損傷を低減し得るようになされている。
【００６７】
また図１８に示すように、例えば光ディスク１００がラジアル方向及びタンジェンシャル方向にそれぞれ４５°程度の角度で傾斜した場合であっても同様に、プロテクタ保護膜４５におけるレンズ近傍保護膜４１よりも遥かに面積の大きい領域（図中に斜線で示す）に光ディスク１００を接触させることができ、光ディスク１００の損傷を低減し得るようになされている。
【００６８】
因みに光ディスク装置２０では、衝撃によって光ディスク１００がチャック２７から外れてしまった場合、光ディスク１００がチャック２７の上に載った状態で当該光ディスク１００が傾斜し、光ディスク１００がチャック２７に嵌入されているときと同様にプロテクタ保護膜４５に接触することになる。この場合であっても、レンズ駆動部４０は、プロテクタ保護膜４５の効果により、光ディスク１００に対する損傷を低減することができる。
【００６９】
すなわち光ディスク装置２０では、光ディスク１００が接触する可能性のあるディスク外周部分にプロテクタ保護膜４５を設けていることにより、光ピックアップ３０の位置や光ディスク１００の傾斜の方向及び角度に拘らず、当該光ディスク１００を確実に保護し得るようになされている。
【００７０】
図１９に、光ディスク装置に対する衝撃試験の結果を示している。図１９（Ａ）に示すように、プロテクタ４９にプロテクタ保護膜４５が形成されている光ディスク装置２０では、光ディスク１００に除去可能な接触痕（囲んで示す）が付着したのみであり、記録及び再生に影響を与えるような損傷はみられなかった。
【００７１】
一方、図１９（Ｂ）に示すように、プロテクタ保護膜４５が形成されていない従来のプロテクタ９（図２）を有する従来の光ディスク装置では、光ディスク１００に記録及び再生に障害を与える大きな傷（囲んで示す）が付いている。なお図中では、右部分に光ディスク１００の表面を照らすライトが映り込んでいる。
【００７２】
このことから、プロテクタ４９に形成されたプロテクタ保護膜４５が、光ディスク１００に対する損傷を効果的に低減し得ることが分かる。
【００７３】
（４）動作及び効果
以上の構成において、光ディスク装置２０は、光源であるレーザダイオード３３から出射された光ビームを対物レンズ１によって集光して光ディスク１００に照射し、レンズ保持部２によって当該対物レンズ１を保持し、遥動保持部であるサスペンションワイヤ３によってレーザダイオード３３を収納する光学部品収納部４３に固定されたベース部４にレンズ保持部２を取り付けることにより、光学部品収納部４３に対してレンズ保持部２を遥動可能に保持し、これにより装着部としてのチャック２７に装着され正常位置に配置された光ディスク１００に対して対物レンズ１が所定の間隔であるワーキングディスタンスになるようレンズ保持部２を配置し、光ディスク１００が正常位置から変位してレンズ保持部２に接触することによりレンズ保持部２に力が加わると、レンズ保持部２を光ディスク１００の変位に伴って移動させる。
【００７４】
これにより光ディスク装置２０は、レンズ保持部２と光ディスク１００との間に大きな力を生じさせないため、光ディスク１００がレンズ保持部２に接触することよる光ディスク１００の損傷を効果的に低減することができる。
【００７５】
また光ディスク装置２０は、レンズ保持部２及びサスペンションワイヤ３を覆うと共に、レンズ突出孔４９Ａからレンズ保持部２の一部を突出させることにより対物レンズ１を光ディスク１００と対向させ、レンズ保持部２が光ディスク１００の変位に伴って移動する際に、レンズ保持部２の一部の殆ど又は全てをプロテクタ４９の内部に収納し、プロテクタ４９の光ディスク１００と対向する対向面であるディスク対向面４９Ｂに光ディスク１００が変位してプロテクタ４９に接触したときに当該光ディスク１００に対する損傷を低減するためのプロテクタ保護膜４５を設けている。
【００７６】
ここで従来の光ディスク装置では、レンズ保持部２（図１）が光ディスク１００と接触する際、対物レンズ１の周囲に小さい面積でなる突起部１０を設けて対物レンズ１の損傷を防止するようにした結果、光ディスク１００から加わる力を当該突起部１０に集中させていた。
【００７７】
これに対して光ディスク装置２０は、従来の突起部１０よりも遥かに面積の大きいディスク対向面４９Ｂに設けられたプロテクタ保護膜４５に光ディスク１００を接触させることができるため、光ディスク１００から加わる力を当該プロテクタ保護膜４５に分散させることができ、当該光ディスク１００からディスク対向面４９Ｂに加わる単位面積当たりの力を小さくして光ディスク１００に対する損傷を効果的に低減することができる。
【００７８】
さらに光ディスク装置２０は、光ディスク１００が接触する可能性のあるプロテクタ保護膜４５をディスク対向面４９Ｂの外周部分に帯状に設けるようにしたため、ディスク対向面４９Ｂと比較して小さい面積でなるプロテクタ保護膜４５で効果的に光ディスク１００に対する損傷を防止することができる。
【００７９】
また光ディスク装置２０は、対物レンズ１を挟んで２つ設けられ、対物レンズ１よりも僅かに突出するレンズ保護突起部４２のうち、一のレンズ保護突起部であるレンズ保護突起部４２Ａの一端４２Ａａ、他のレンズ保護突起部であるレンズ保護突起部４２Ｂの一端４２Ｂａ及び対物レンズ１の外周であるレンズ周縁部１Ｂがほぼ一直線上に並び、レンズ突起部４２Ａの他端４２Ａｂ、レンズ保護突起部４２Ｂの他端４２Ｂｂ及びレンズ周縁部１Ｂがほぼ一直線上に並ぶように形成されている。
【００８０】
これにより光ディスク装置２０は、光ディスク１００の変位に伴って移動するため大きな力が加わることのないレンズ保持部２において、光ディスク１００がどの方向に傾斜した場合であっても確実に対物レンズ１を保護することができるため、レンズ保護突起部４２を必要最小限の面積に形成することができ、レンズ保持部２の軽量及び小型化を実現できる。
【００８１】
以上の構成によれば、光ディスク装置２０は、光ディスク１００に対向させて配置した対物レンズ１を保持するレンズ保持部２をサスペンションワイヤ３によって光学部品収納部４３に遥動可能に保持すると共に、レンズ保持部２の対物レンズ１を有する頭頂部をレンズ突出孔４９Ａから突出させた状態でプロテクタ４９によってレンズ保持部２及びサスペンションワイヤ３を覆い、光ディスク１００の変位に伴ってレンズ保持部２の頭頂部の殆ど又は全てをプロテクタ４９内に収納すると共に、プロテクタ４９の表面にプロテクタ保護膜４５を設けることにより、当該レンズ保持部２の移動によって光ディスク１００の変位によるレンズ保持部２に加わる力を逃がし、大きな面積でなるプロテクタ保護膜４５で光ディスク１００を受け止めることができ、かくしてレンズ保持部２を小型化し得ると共に、光ディスク１００に対する損傷を防止し得る光ピックアップ及び光ディスク装置を実現できる。
【００８２】
（５）他の実施の形態
なお上述の実施の形態においては、ディスク対向面４９Ｂの外周部に帯状にプロテクタ保護膜４５を設けるようにした場合について述べたが、本発明はこれに限らず、例えばディスク対向面４９Ｂの全面に設けるようにしても良い。
【００８３】
さらに上述の実施の形態においては、吹き付け又は塗布によりプロテクタ保護膜４５をディスク対向面４９Ｂに直接的に形成するようにした場合について述べたが、本発明はこれに限らず、例えば両面テープや接着剤によりプロテクタ保護膜４５を貼り付けるようにしても良い。
【００８４】
さらに上述の実施の形態においては、レンズ保護突起部４２の表面にレンズ近傍保護膜４１を形成するようにした場合について述べたが、本発明はこれに限らず、必ずしもレンズ近傍保護膜４１を設ける必要はなく、例えばレンズ保護突起部４２自身を柔軟性のある材料で形成するようにしても良い。
【００８５】
さらに上述の実施の形態においては、その表面が円弧状でなるレンズ保護突起部４２を形成するようにした場合について述べたが、本発明はこれに限らず、例えば矩形や多角形など種々の形状でなるレンズ保護突起部４２を形成するようにしても良い。
【００８６】
さらに上述の実施の形態においては、レンズ保持部２の一部である頭頂部の全てがプロテクタ９内に収納可能であるようにした場合について述べたが、本発明はこれに限らず、要は光ディスク１００の変位に伴ってレンズ保持部２の底部がベース部４に接触する前に、当該光ディスク１００がプロテクタ４９に接触すれば良く、レンズ保持部２の殆どがプロテクタ９内に収納可能（例えばレンズ保持部２の頭頂部の約０．５ｍｍが突出し、残りの殆どの部分が収納される）であるようしても良い。この場合であっても、上述した実施の形態と同様の効果を得ることができる。
【００８７】
さらに上述の実施の形態においては、対物レンズとしての対物レンズ１と、レンズ保持部としてのレンズ保持部２と、遥動保持部としてのサスペンションワイヤ３と、プロテクタとしてのプロテクタ４９と、プロテクタ保護部としてのプロテクタ保護膜４９とによって光ピックアップとしての光ピックアップ３０を構成するようにした場合について述べたが、本発明はこれに限らず、その他種々の構成でなる対物レンズと、レンズ保持部と、遥動保持部と、プロテクタと、プロテクタ保護部とによって本発明の光ピックアップを構成するようにしても良い。
【産業上の利用可能性】
【００８８】
本発明の光ピックアップ及び光ディスク装置は、例えばＢＤに対して情報を再生及び記録する各種光ディスク装置に利用することができる。
【図面の簡単な説明】
【００８９】
【図１】従来のレンズ駆動部を示す略線図である。
【図２】従来のレンズ駆動部のプロテクタを示す略線図である。
【図３】従来のレンズ駆動部の光ディスクとの接触の説明に供する略線図である。
【図４】光ディスク装置の全体構成を示す略線図である。
【図５】レンズ駆動部の構成を示す略線図である。
【図６】対物レンズの周囲の構成を示す略線図である。
【図７】レンズ駆動部の外観構成を示す略線図である。
【図８】光ディスクに対する位置関係の説明に供する略線図である。
【図９】基準位置におけるレンズ保持部の位置の説明に供する略線図である。
【図１０】最大沈下時のレンズ保持部の位置の説明に供する略線図である。
【図１１】ディスク外周側の説明に供する略線図である。
【図１２】プロテクタ保護膜の設置位置を示す略線図である。
【図１３】ラジアル方向へ傾いたときの光ディスクの接触の様子を示す略線図である。
【図１４】ラジアル方向へ傾いたときの接触部分の説明に供する略線図である。
【図１５】タンジェンシャル方向へ傾いたときの光ディスクの接触の様子を示す略線図である。
【図１６】タンジェンシャル方向へ傾いたときの接触部分（１）の説明に供する略線図である。
【図１７】タンジェンシャル方向へ傾いたときの接触部分（２）の説明に供する略線図である。
【図１８】ラジアル方向及びタンジェンシャル方向へ傾いたときの接触部分の説明に供する略線図である。
【図１９】プロテクタ保護膜の効果の説明に供する略線図である。
【符号の説明】
【００９０】
１……対物レンズ、２……レンズ保持部、３……サスペンションワイヤ、４……ベース部、５……コイル、６……マグネット、７……アクチュエータ、２０……光ディスク、９……、２７……チャック、３３……レーザダイオード、……、４０……レンズ駆動部、……、４１……レンズ近傍保護膜、４２……レンズ保護突起部、４３……光学部品収納部、４５……プロテクタ保護膜、４９……プロテクタ、４９Ａ……レンズ突出孔、４９Ｂ……ディスク対向面、１００……光ディスク。
【図１】
2008276897.tif 000003
【図２】
2008276897.tif 000004
【図３】
2008276897.tif 000005
【図４】
2008276897.tif 000006
【図５】
2008276897.tif 000007
【図６】
2008276897.tif 000008
【図７】
2008276897.tif 000009
【図８】
2008276897.tif 000010
【図９】
2008276897.tif 000011
【図１０】
2008276897.tif 000012
【図１１】
2008276897.tif 000013
【図１２】
2008276897.tif 000014
【図１３】
2008276897.tif 000015
【図１４】
2008276897.tif 000016
【図１５】
2008276897.tif 000017
【図１６】
2008276897.tif 000018
【図１７】
2008276897.tif 000019
【図１８】
2008276897.tif 000020
【図１９】
2008276897.tif 000021